(57)【特許請求の範囲】
【請求項１】
容器口筒部に、注出筒と、外筒と内筒、肩壁とからなる嵌合筒とを備えた中栓を嵌合した液注出容器であって、
容器の口筒部の上部外周を縮径させて嵌合筒部を形成し、
肩壁の下面に前記嵌合筒部の外周面に係合する突出リングを垂設し、肩壁の前記突出リングと外筒との間には、切込みと切断溝が配設されており、
中栓の嵌着時に、突出リングが嵌合筒部外周面に嵌合するようにしたことを特徴とする液注出容器。
【請求項２】
中栓の外筒に、下端に連結部を残して縦方向の切込みを刻設し、肩壁に、突出リングの外周と外筒内周に沿って、前記切込みに接続する円弧状の切込みと、該切込みに続く切断溝を刻設したことを特徴とする請求項１記載の液注出容器。
【請求項３】
容器口筒部に、注出筒と、外筒と内筒、肩壁とからなる嵌合筒とを備えた中栓を嵌合した液注出容器であって、
容器の口筒部の天面に内周面を延長するよう嵌合筒部を立設し、その外周に係止溝を刻設し、肩壁の下面に嵌合筒部に係合する係合溝を刻設し、該係合溝の外壁面より延長するよう突出リングを垂設し、肩壁の前記突出リングと外筒との間に、切込みと切断溝が配設されており、
中栓の嵌着時に、口筒部の嵌合筒部が肩壁の係合溝に嵌合するとともに、係止溝によって突出リングを係止するようにしたことを特徴とする液注出容器。
【請求項４】
中栓の外筒に、下端に連結部を残して縦方向の切込みを刻設し、肩壁に、突出リングの外周と外筒内周に沿って、前記切込みに接続する円弧状の切込みと、該切込みに続く切断溝を刻設したことを特徴とする請求項３記載の液注出容器。
【請求項５】
容器口筒部に、注出筒と、外筒と内筒、肩壁とからなる嵌合筒とを備えた中栓を嵌合した液注出容器であって、
容器の口筒部の天面に環状の山型突起を突設し、
肩壁下面に、山型突起に嵌合する係合溝を刻設するとともに、肩壁上面に係合溝の対応する肉厚の段部を設け、該段部と外筒との間には、切込みと切断溝が配設されており、
中栓の嵌着時に、山型突起と係合溝が嵌合されるようにしたことを特徴とする液注出容器。
【請求項６】
中栓の外筒に、下端に連結部を残して縦方向の切込みを刻設し、
肩壁に、段部の外周面と外筒内周に沿って、前記切込みに接続する円弧状の切込みと、該切込みに続く切断溝を刻設したことを特徴とする請求項５記載の液注出容器。
【発明の詳細な説明】
【０００１】
【発明の属する技術分野】
本発明は、液注出容器に関する。
【０００２】
【従来の技術】
容器口部に中栓を打栓により嵌着した液注出容器は従来より周知である。
また、容器と中栓との分別廃棄のために、中栓の外筒に切断可能な連結部を残して縦方向の切込みを設け、肩壁に該切込みに続く円弧状切込みと切断溝を刻設し、外筒に形成した摘み部を引っ張ることによって切断溝を切断して所定範囲の外筒を切り離し、中栓を容器の口筒部から取り外せるようにした、いわゆるショルダースコアタイプの中栓も、従来より知られている（例えば、特開平１１−３３４７５２号公報参照）。
【０００３】
【発明が解決しようとする課題】
上記液注出容器は、醤油、その他の食料液用として内容液が充填されて使用されているが、液注出容器を長期にわたって使用していると、容器口筒部と中栓内筒との間の締め代が樹脂相互間のなじみにより時間とともに減少し、シール効果が弱くなるという問題があった。
【０００４】
とくに、ショルダースコアタイプの中栓は、外周に引き裂き用の摘み部を形成するため、肩壁に周方向の切込みが刻設されており、その部分の肩壁下面は、容器のシールにほとんど関与していないので、中栓内筒と容器の口筒部内周との間の締め代の減少、口筒部のわずかな傷等により、横倒しになったときなど、切込み部分から内容液が洩れだすという問題があった。
【０００５】
本発明は、上記の問題点を解決することを課題として、液注出容器を長期にわたって使用していても高いシール効果を維持するために、容器の口筒部と中栓の嵌合部の構造を改善した液注出容器を提供することを目的とする。
【０００６】
【課題を解決するための手段】
本発明は、上記の課題を解決するため、液注出容器として、容器口筒部に、注出筒と、外筒と内筒、肩壁とからなる嵌合筒とを備えた中栓を嵌合した液注出容器であって、容器の口筒部の上部外周を縮径させて嵌合筒部を形成し、肩壁の下面に前記嵌合筒部の外周面に係合する突出リングを垂設し、肩壁の前記突出リングと外筒との間には、切込みと切断溝が配設されており、中栓の嵌着時に、突出リングが嵌合筒部外周面に嵌合するようにしたことを特徴とする構成を採用する。
【０００７】
分別可能な中栓として上記構成に付加して、中栓の外筒に、下端に連結部を残して縦方向の切込みを刻設し、肩壁に、突出リングの外周と外筒内周に沿って、前記切込みに接続する円弧状の切込みと、該切込みに続く切断溝を刻設したことを特徴とする構成を採用する。
【０００８】
液注出容器の別実施形態として、容器口筒部に、注出筒と、外筒と内筒、肩壁とからなる嵌合筒とを備えた中栓を嵌合した液注出容器であって、容器の口筒部の天面に内周面を延長するよう嵌合筒部を立設し、その外周に係止溝を刻設し、肩壁の下面に嵌合筒部に係合する係合溝を刻設し、該係合溝の外壁面より延長するよう突出リングを垂設し、肩壁の前記突出リングと外筒との間に、切込みと切断溝が配設されており、中栓の嵌着時に、口筒部の嵌合筒部が肩壁の係合溝に嵌合するとともに、係止溝によって突出リングを係止するようにしたことを特徴とする構成を採用する。
【０００９】
分別可能な中栓として上記構成に付加して、中栓の外筒に、下端に連結部を残して縦方向の切込みを刻設し、肩壁に、突出リングの外周と外筒内周に沿って、前記切込みに接続する円弧状の切込みと、該切込みに続く切断溝を刻設したことを特徴とする構成を採用する。
【００１０】
注出容器の別実施形態として、容器口筒部に、注出筒と、外筒と内筒、肩壁とからなる嵌合筒とを備えた中栓を嵌合した液注出容器であって、容器の口筒部の天面に環状の山型突起を突設し、肩壁下面に、山型突起に嵌合する係合溝を刻設するとともに、肩壁上面に係合溝の対応する肉厚の段部を設け、該段部と外筒との間には、切込みと切断溝が配設されており、中栓の嵌着時に、山型突起と係合溝が嵌合されるようにしたことを特徴とする構成を採用する。
【００１１】
分別可能な中栓として上記構成に付加して、中栓の外筒に、下端に連結部を残して縦方向の切込みを刻設し、肩壁に、段部の外周面と外筒内周に沿って、前記切込みに接続する円弧状の切込みと、該切込みに続く切断溝を刻設したことを特徴とする構成を採用する。
【００１２】
【発明の実施の形態】
次に、本発明実施形態の液注出容器について、図面を参照して説明する。
図１において、Ａは容器の口筒部、Ｂは中栓、Ｃはキャップである。
容器、中栓Ｂ、キャップＣは、いずれも合成樹脂で成形されており、容器と中栓Ｂ、キャップＣとは、素材樹脂を異にしている。
容器の内容物として、食料液が収容されている。
【００１３】
図２に示すように、容器口部Ａの外周には、その上部の外周を縮径して一定長の嵌合筒部１を形成し、その下部に、外方に突出する円錐部２A と円筒部２B とからなる係合突条２と保持突条３が突設されている。
【００１４】
図３，４に示すように、中栓Ｂは、容器の口筒部Ａに嵌着される嵌合筒５と、注出筒６を連設した螺合筒７とを具えている。
嵌合筒５は、外筒８と内筒９および肩壁１０とからなり、螺合筒７は、内筒９から上方に延びるよう連設されている。
【００１５】
外筒８の下端部内周には、容器の口筒部Ａ外周に設けられた係合突条２に係合する係合突条１１が突設されており、下端部外周にはフランジ１２が突設されている。
内筒９の外周面は、容器の口筒部Ａ内周との内に一定の締め代をもって嵌合するようにしており、下方部には、二本の膨出細条１３が設けられている。
肩壁１０の下面には、嵌合筒部１の外周面に係合するよう突出リング１４が垂設されている。
【００１６】
外筒８の所定個所には、下端部に切断可能な連結部１５を残して外筒８を周方向に区分するとともに、フランジ１２を分断するよう縦方向の切込み１６が穿設され、肩壁１０には、突出リング１４の外周と外筒８内周に沿って、切込み１６に連続する一定長さの切込み１７が穿設されており、二つの切込み１６，１７によって外筒８の周壁に摘み部１８が形成されている。
摘み部１８の表面には、ローレットが設けられ、引き裂きにあたって指先が滑らないようにしている。
【００１７】
肩壁１０の下面には、切込み１７に続いて薄肉を残したほぼＶ字形の切断溝２０が、外筒８内周に沿って少なくとも１８０度を越える角度範囲に穿設されている。
【００１８】
螺合筒７の外周には、ねじ２１が刻設されており、上端には、内方に延びる注出筒６の支持壁２２が連設されている。
【００１９】
注出筒６は、その上端周縁には、外方に拡開され湾曲する注出口唇部２３が形成され、下端には、隔壁２４が連設されている。
隔壁２４下方には、注出筒６に続く内壁２５が垂設され、内壁２５内周には、所定間隔をおいて縦リブ２６が設けられている。
隔壁２４の裏面には、所定の形状に沿って、薄肉を残してＶ字状の切断溝２７が設けられ、その内側の隔壁は除去部２８となっており、除去部２８の上面には、連結片を介して指掛けリング２９が設けられている。
【００２０】
図５に示すように、キャップＣは、頂壁３０と側筒壁３１、側筒壁３１の下方に設けられた被せ筒３２とを具えている。
頂壁３０の下面には、密封リング３３が垂設されており、側筒壁３１の内周には、中栓Ｂの螺合筒７のねじ２１に螺合するねじ３４が刻設されている。
側筒壁３１の下端には、フランジ状に拡がる肩壁３５が連設されており、肩壁３５の周縁から側筒３６が垂設されている。
肩壁３５と側筒３６によって、中栓Ｂの嵌合筒５に対する被せ筒３２が構成されている。
【００２１】
キャップＣを中栓Ｂに螺合締着すると、密封リング３３の外周は、注出筒６の内周に嵌合して注出筒６を密封し、被せ筒３２は、中栓Ｂの嵌合筒５の肩壁１０に接合し、外筒８のフランジ１２より上方の外周面を覆うよう被嵌される。
【００２２】
次に、本実施形態の液注出容器の使用態様と作用効果について説明する。
本実施形態の液注出容器には、内容物が充填された後、キャップＣを被蓋した中栓Ｂが、容器の口筒部Ａに打栓により嵌着される。
中栓Ｂの打栓時には、図６に示すように、内筒９の外周面９A が容器の口筒部Ａ内周に一定の締め代をもって嵌合し、肩壁１０下面の突出リング１４が口筒部Ａの嵌合筒部１の外周に嵌合され、外筒８の係合突条１１が係合突条２下端に係合されることによって、中栓Ｂを容器の口筒部Ａに嵌着させる。
【００２３】
その際、内筒９の外周面９A と容器の口筒部Ａ内周面との間の一定の締め代を有する嵌合、肩壁１０の内側下面１０A と嵌合筒部１の上面１A との圧接、突出リング１４の内周面１４A と嵌合筒部１の外周面との嵌合によって、容器内部が密封される。
【００２４】
内容液の注出開始にあたって、従来の容器と同様に、キャップＣを開蓋し、中栓Ｂの指掛けリング２９を引き上げることによって、注出孔が開孔される。
液注出後に、キャップＣを被蓋して保存される。
【００２５】
容器が、長期にわたって使用されても、中栓Ｂの突出リング１４と容器口筒部Ａの嵌合筒部１の嵌合により、中栓の突出リング１４の内周面１４A と嵌合筒部１の外周面との間で密封性が高められているので、締め代が減少しても容器口筒部Ａと中栓Ｂとの間の高いシール効果が維持される。
それにより、液洩れ、外気の侵入を防ぐことができる。
【００２６】
内容液の使用終了後に容器を廃棄するときには、中栓Ｂの外筒８の摘み部１８を引っ張ると、外筒８を肩壁１０下面に設けた切断溝２０に沿って切り裂くことができ、中栓Ｂを簡単に抜き取ることができる。
【００２７】
次に、第２実施形態の液注出容器について、図面を参照して説明する。
本実施形態は、口筒部天面に嵌合筒部を立設し、肩壁に設けた係合溝内に嵌合させるようにしたもので、第１実施形態と相違する容器口筒部と中栓の嵌合筒を中心に説明し、その他の構成については添字ａを付して図示し、くわしい説明は省略する。
図７において、Ａａは容器口筒部、Ｂａは中栓、Ｃａはキャップである。
【００２８】
図８に示すように、容器口筒部Ａａの天面４０には、内周に沿って内周面を上方に延長するよう嵌合筒部４１が立設されている。
その外周に係止溝４２が刻設されており、係止溝４２の周りの天面部は、係止環４３となっている。
口筒部Ａａの外周面には、係合突条４４が設けられ、その下方には、保持突条４５が設けられている。
【００２９】
図９，１０に示すように、中栓Ｂａは、容器の口筒部Ａａに嵌着される嵌合筒５ａと、注出筒６ａを連接した螺合筒７ａとを具えている。
嵌合筒５ａは、外筒８ａと内筒９ａおよび肩壁１０ａとからなり、螺合筒７ａは、内筒９ａから上方に延びるよう連設されている。
外筒８ａの下端部内周には、容器の口筒部Ａ外周に設けられた係合突条４４に係合する係合突条１１ａが突設されており、下端部外周にはフランジ１２ａが突設されている。
【００３０】
内筒９ａの外周面は、容器の口筒部Ａａ内周との内に一定の締め代をもって嵌合するようにしており、下方部には、二本の膨出細条が設けられている。
肩壁１０ａの上面には、螺合筒７ａを拡径した段部５０が設けられ、下面には、段部５０に対応し、内筒９ａの外周面を延長した面を内壁面とする係合溝５１が設けられており、係合溝５１の外壁面を延長するよう内周面を形成した突出リング５２が垂設されている。
【００３１】
前記実施形態と同様に、外筒８ａには、縦方向の切込み１６ａが穿設され、肩壁１０ａには、切込み１６ａに連続し、周方向に延びる切込み１７ａと切断溝２０ａが設けられ、二つの切込み１６ａ、１７ａによって外筒８ａの周壁に摘み部１８ａが設けられている。
【００３２】
螺合筒７ａのその他の構成、および螺合筒７ａに連設された注出筒６ａの構成は、螺合筒７ａの下端に前記の段部５０が設けられている点を除いて、前記第１実施形態の構成と同一であるので、説明を省略する。
【００３３】
次に、本実施形態の作用効果について説明する。
本実施形態の容器は、第１実施形態の容器と同じく容器に内容液が充填された後、キャップを被蓋した中栓が、容器の口筒部に打栓により嵌着される。
図１０に示すように、中栓Ｂａの打栓時には、中栓Ｂａの内筒９ａ外周面が口筒部Ａａ内周に一定の締め代をもって嵌合し、口筒部Ａａの嵌合筒部４１が肩壁１０ａ下面の係合溝５１内に嵌合し、中栓の突出リング５２が、口筒部天面４０の係止溝４２内に嵌合され、外筒８ａの係合突条１１ａが口筒部の係合突条４４の下側に係合することによって嵌着され、容器内部を密封する。
【００３４】
液注出容器の使用が長期にわたっても、口筒部Ａａの嵌合筒部４１と中栓Ｂａの係合溝５１の嵌合と、係止環４３による突出リング５２の挟持により、口筒部Ａａ嵌合筒部４１の上面と外周面に接合する中栓Ｂａの係合溝５１の底面と内外周壁による密封性が維持されるので、口筒部Ａａと中栓Ｂａの内筒との間の締め代が減少しても、高いシール効果が維持される。
そのことによって、液洩れ、外気の侵入を防ぐことができる。
【００３５】
次に、第３実施形態の液注出容器について、図面を参照して説明する。
本実施形態は、口筒部天面に環状の山型突起を設け、中栓の肩壁下面に山型突起に嵌合する係合溝を設けたもので、前記各実施形態と相違する容器口筒部と中栓の嵌合筒を中心に説明し、その他の構成については、符号に添字ｂを付して図示し、くわしい説明は省略する。
【００３６】
図１１において、Ａｂは容器の口筒部、Ｂｂは中栓、Ｃｂはキャップである。
図１２に示すように、口筒部Ａｂの外周には、嵌合突条６０と保持突条６１が突設されており、天面６２には、環状の山型突起６３が立設されている。
山型突起６３の外側の傾斜面には、膨出細条６４が突設されている。
【００３７】
中栓Ｂｂは、容器口筒部Ａｂに嵌着される嵌合筒５ｂと注出筒６ｂを連接した螺合筒７ｂとを具えている。
図１３に示すように、嵌合筒５ｂは、外筒８ｂと内筒９ｂと肩壁１０ｂとからなり、螺合筒７ｂは、内筒９ｂから上方に延びるよう連設されている。
【００３８】
前記第２実施形態と同様に、外筒８ｂの内周下方部には、係合突条１１ｂが突設されており、下端外周にフランジ１２ｂが突設されている。
内筒９ｂ外周には、口筒部Ａｂ内周に締め代をもって嵌合するよう膨出周面６５と二本の膨出細条が設けられている。
肩壁１０ｂの下面には、山型突起６３に嵌合する環状の係合溝６６が刻設されており、肩壁１０ｂの上面には、係合溝６６の上面を肉厚にするため、螺合筒７ｂより拡径された段部６７が設けられている。
【００３９】
外筒８ｂの所定個所には、下端部に切断可能な連結部１５ｂを残して外筒８ｂを周方向に区分するとともに、フランジ１２ｂを分断するよう縦方向の切込み１６ｂが穿設され、肩壁１０ｂには、段部６７の外周と外筒８ｂ内周に沿って、切込み１６ｂに連続する一定長さの円弧状の切込み１７ｂが穿設され、二つの切込み１６ｂ，１７ｂによって外筒周壁に摘み部１８ｂが形成されている。
肩壁１０ｂの下面には、切込み１７ｂに続いて、Ｖ字形の切断溝２０ｂが刻設されている。
【００４０】
螺合筒７ｂ、および注出筒６ｂの構成は、螺合筒７ｂの下端に段部６７が設けられていること以外は前記第１，２実施形態の構成と同一であるので、説明を省略する。
【００４１】
キャップＣｂは、その構成は、前記第１実施形態のそれと同一であるが、螺合時に、側筒壁３１ｂの下端が段部６７に載置するようにされ、被せ筒３２ｂの下端がフランジ１２ｂ近くに達するようにされている。
【００４２】
次に、第３実施形態の作用効果について説明する。
図１４に示すように、中栓打栓時には、内筒９ｂの膨出周面６５が一定の締め代をもって、口筒部Ａｂ内周に嵌合され、口筒部Ａｂの山型突起６３が、肩壁１０ｂ下面の係合溝６６に嵌合され、外筒の係合突条１１ｂが口筒部Ａｂの係合突条６０の下面に係合されることによって嵌着され、容器内部が密封される。
【００４３】
容器の使用が長期間にわたっても、口筒部Ａｂ天面６２の山型突起６３の内外の傾斜面と上面が、肩壁１０ｂ下面の係合溝６６の内外の傾斜壁と底面と接合することによって密封性が維持されるので、締め代が減少しても高いシール効果が維持され、したがって、液洩れ、外気の侵入を防ぐことができる。
【００４４】
次に、第４実施形態の液注出容器について、図面を参照して説明する。
上記各実施形態は、ショルダースコアタイプの中栓を嵌着した液注出容器に係わるものであるが、容器口筒部と中栓の嵌合筒の構成は、分別タイプでない中栓にも適用でき、シール効果を高めることができる。
以下の第４〜第６の実施形態は、分別タイプでない中栓に係るものである。
【００４５】
本実施形態は、第１実施形態の構成を適用したものである。
図１５に示すように、前記第１実施形態と同様に、容器口筒部Ａｃの外周には、その上部に、外周を縮径した嵌合筒部７０が形成され、その下部に、係合突条７１と保持突条７２が形成されている。
中栓Ｂｃは、容器口筒部Ａｃに嵌着される嵌合筒７３と、注出筒７４を連接した螺合筒７５とを具えており、嵌合筒７３は外筒７６と内筒７７、肩壁７８とからなっている。
肩壁７８の下面には、口筒部Ａｃの嵌合筒部７０の外周面に係合する突出リング７９が垂設されている。
【００４６】
中栓の嵌着時には、内筒７７の外周と容器口筒部Ａｃの内周とが一定の締め代をもって嵌合し、肩壁７８の突出リング７９と口筒部の嵌合筒部７０が嵌合し、外筒７６の下端の係合突条が、係合突条７１の下側に係合することに嵌着され、容器内部が密封される。
【００４７】
容器の使用が長期にわたっても、口筒部Ａｃの嵌合筒部７０と突出リング７９の係合により、突出リング７９の内周面と嵌合筒部７０の外周面との密封性が高められているので、容器口部Ａｃと中栓Ｂｃとの間に樹脂相互のなじみにより締め代が減少しても、高いシール効果が維持される。
【００４８】
次に、第５実施形態の液注出容器について、図面を参照して説明する。
本実施形態は、第２実施形態の容器口筒部と中栓嵌合筒の構成を、分別タイプでない容器に適用したもので、図１６に示すように、容器口筒部Ａｄの天面８０には、内周に沿って嵌合筒部８１が立設され、その外周には、係止溝８２が刻設され、その周りは、係止環８３となっている。
【００４９】
中栓Ｂｄは、容器口筒部Ａｄに嵌合される嵌合筒８４と注出筒８５を連接した螺合筒８６とを具えており、嵌合筒８４は、外筒８７と内筒８８、肩壁８９とからなっている。
肩壁８９の上面には、螺合筒８６を拡径した段部９０が設けられ、肩壁８９下面には、段部９０に対応し、内筒８８の外周面を延長した面を内壁面とする係合溝９１が設けられており、係合溝９１の外壁面を延長するよう形成した突出リング９２が垂設されている。
【００５０】
中栓Ｂｄの打栓時には、内筒８８外周と口筒部Ａｄ内周との締め代をもった嵌合、口筒部Ａｄの係合筒部８１と中栓Ｂｄの係合溝９１、突出リング９２との嵌合、外筒８７と口筒部Ａｄの係合突条との嵌合によって容器内部が密封され、容器の使用が長期にわたっても、嵌合筒部８１と係合溝９１、突出リング９２の係合により密封性が高められているので、容器口部Ａｄと中栓Ｂｄとの間に樹脂相互のなじみにより締め代が減少しても、高いシール効果が維持される。
【００５１】
次に、第６実施形態の液注出容器について、図面を参照して説明する。
本実施形態は、第３実施形態の容器口筒部と中栓嵌合筒の構成を適用したもので、図１７に示すように、容器の口筒部Ａｅの外周には、係合突条１００と保持突条１０１とが突設されており、天面１０２には、環状の山型突起１０３が立設されている。
山型突起１０３の外側の傾斜面には、膨出細条が突設されている。
【００５２】
中栓Ｂｅは、容器口筒部Ａｅに嵌合される嵌合筒１０４と、注出筒１０５を連接した螺合筒１０６とを具えており、嵌合筒１０４は、外筒１０７と内筒１０８、肩壁１０９とからなっている。
肩壁１０９の下面には、前記山型突起１０３に嵌合する係合溝１１０が刻設されており、上面には、係合溝１１０の上面を肉厚にするための螺合筒１０６を拡径した段部１１１が設けられている。
【００５３】
中栓Ｂｅの嵌合時には、内筒１０８外周と口筒部Ａｅ内周との嵌合、口筒部Ａｅに立設された山型突起１０３と係合溝１１０との嵌合、外筒１０７内周と係合突条１００との嵌合により容器内部が密封され、容器の使用が長期にわたっても、山型突起１０３と、係合溝１１０の係合により密封性が高められているので、容器口部Ａｅと中栓Ｂｅとの間に樹脂相互のなじみにより締め代が減少しても、高いシール効果が維持できる。
【００５４】
【発明の効果】
本発明は、上記のように構成されているから、次の効果を奏する。
口筒部の天面に嵌合筒部あるいは環状の山型突起を設け、中栓の肩壁下面に突出リングあるいは係合溝を設け、口筒部上部と肩壁との間の係合面を広くするようにしているから、密封性を高めることができる。
【００５５】
また、液注出容器を長期に使用した場合に、容器口部と中栓の間の締め代が減少しても、高いシール効果が維持でき、液洩れ、外気の侵入を防ぐことができるようになった。
とくに、ショルダースコアタイプの中栓で肩壁に切込みを設けている場合、切込み部分を通じての液洩れを防止することができる。
【図面の簡単な説明】
【図１】本発明液注出容器の一部断面図である。
【図２】容器口筒部の断面図である。
【図３】中栓の説明図で、（ａ）は上面図、（ｂ）は正面図である。
【図４】同じく中栓の説明図で、（ａ）は底面図、（ｂ）図３（ａ）のＡ−Ａ線における断面図はである。
【図５】  キャップの一部断面正面図である。
【図６】  要部の拡大説明図である。
【図７】  第２実施形態液注出容器の一部断面図である。
【図８】  容器口筒部の断面図である。
【図９】  中栓の説明図で、（ａ）は断面図、（ｂ）は図（ａ）のＡ−Ａ線における断面底面図である。
【図１０】  要部の拡大説明図である。
【図１１】  第３実施形態液注出容器の一部断面図である。
【図１２】  容器口筒部の断面図である。
【図１３】  中栓の説明図で、（ａ）は断面図、（ｂ）は図（ａ）のＡ−Ａ線における断面底面図である。
【図１４】  要部の拡大説明図である。
【図１５】  第４実施形態液注出容器の要部を示す断面図である。
【図１６】  第５実施形態液注出容器の要部を示す断面図である。
【図１７】  第６実施形態液注出容器の要部を示す断面図である。
【符号の説明】
Ａ、Ａａ、Ａｂ、Ａｃ、Ａｄ、Ａｅ    口筒部
Ｂ、Ｂａ、Ｂｂ、Ｂｃ、Ｂｄ、Ｂｅ    中栓
Ｃ、Ｃａ、Ｃｂ                      キャップ
１、４１、７０、８１                嵌合筒部
５、５ａ、５ｂ、７３、８４、１０４  嵌合筒
６、６ａ、６ｂ、７４、８５、１０５  注出筒
７、７ａ、７ｂ、７５、８６、１０６  螺合筒
８、８ａ、８ｂ、７６、８７、１０７  外筒
９、９ａ、９ｂ、７７、８８、１０８  内筒
１０、１０ａ、１０ｂ、７８、８９、１０９  肩壁
１１、１１ａ、１１ｂ                      係合突条
１４、１４ａ、１４ｂ、５２、７９、９２    突出リング
１５、１５ａ、１５ｂ                連結部
１６、１６ａ、１６ｂ                切込み
１７、１７ａ、１７ｂ                切込み
１８、１８ａ、１８ｂ                摘み部
２０、２０ａ、２０ｂ                切断溝
４０、６２、８０、１０２            天面
４２、８２                          係止溝
４３、８３                          係止環
５０、６７、９０、１１１            段部
５１、６６、９１、１１０            係合溝
６３、１０３                        山型突起
８１                                係合筒部
【図１】
0004120962.tif 000002
【図２】
0004120962.tif 000003
【図３】
0004120962.tif 000004
【図４】
0004120962.tif 000005
【図５】
0004120962.tif 000006
【図６】
0004120962.tif 000007
【図７】
0004120962.tif 000008
【図８】
0004120962.tif 000009
【図９】
0004120962.tif 000010
【図１０】
0004120962.tif 000011
【図１１】
0004120962.tif 000012
【図１２】
0004120962.tif 000013
【図１３】
0004120962.tif 000014
【図１４】
0004120962.tif 000015
【図１５】
0004120962.tif 000016
【図１６】
0004120962.tif 000017
【図１７】
0004120962.tif 000018